(57)【要約】【課題】  臨床プロテオーム解析をする際に、微量成分の検出に対して妨害となる物質が取り除かれた分析用溶液（分析検体）を得るための分離膜の提供。【解決手段】非対称構造を有する分離膜。この分離膜を用いることによって、分子量の高い妨害物質を効率よく除去する。本分離膜により得られた溶液は、質量分析、電気泳動、液体クロマトグラフィー等のタンパク質分析に用いられ、高感度の分析が可能になる。【選択図】        図１
2005214919.tif 000002
【特許請求の範囲】
【請求項１】
タンパク質および／もしくはペプチド分析前処理用の分離膜において、膜構造が非対称構造であることを特徴とする分離膜。
【請求項２】
分子量Ａ未満のタンパク質と分子量４Ａ以上のタンパク質との透過比率が２０以上であることを特徴とする請求項１記載の分離膜。
【請求項３】
分子量１．５万未満のタンパク質と分子量６万以上のタンパク質との透過比率が２０以上であることを特徴とする請求項１記載の分離膜。
【請求項４】
膜素材に親水性高分子が含まれることを特徴とする請求項１〜３のいずれかに記載の分離膜。
【請求項５】
親水性高分子が、ポリアルキレンオキサイド、ポリビニルピロリドン、ポリビニルアルコール、ポリヒドロキシエチルメタクリレート、ポリアクリルアミド、ポリエチレンイミンであることを特徴とする請求項４記載の分離膜。
【請求項６】
親水性高分子の含有量が、膜素材の１〜１０％であることを特徴とする請求項４又は５に記載の分離膜。
【請求項７】
分析するタンパク質および／もしくはペプチドが血液、血漿、血清などの血液由来物、尿、腹水、唾液、涙液、脳脊髄液、胸水もしくは細胞から構成されることを特徴とする請求項１〜６のいずれかに記載の分離膜。
【発明の詳細な説明】
【技術分野】
【０００１】
本発明は生体成分を含有する原液、特にヒトの血液、尿等から生体成分を分離して分析用溶液（分析検体）とする分離膜に関する。
【背景技術】
【０００２】
近年、ポストゲノム研究として、プロテオーム解析研究（プロテオミクス）が注目され始めた。遺伝子産物であるタンパク質は遺伝子よりも疾患の病態に直接リンクしていると考えられることから、タンパク質を網羅的に調べるプロテオーム解析の研究成果は診断と治療に広く応用できると期待されている。しかも、ゲノム解析では発見できなかった病因タンパク質や疾患関連因子を多く発見できる可能性が高い。
【０００３】
プロテオーム解析の急速に進展しだしたのは、技術的には質量分析装置（mass spectrometer: MS）による高速構造分析が可能となってきたことが大きく、MALDI-TOF-MS (matrix assisted laser desorption ionization time-of-flight mass spectrometry) 等の実用化によって、ポリペプチドのハイスルースループット超微量分析が可能となり、従来検出し得なかった微量タンパク質までが同定可能となり、疾患関連因子の探索に強力なツールとなってきている。
【０００４】
プロテオーム解析の臨床応用の第一目的は、疾患によって誘導あるいは消失するバイオマーカータンパク質の発見である。バイオマーカーは、病態に関連して挙動するため、診断のマーカーとなり得るほか、創薬ターゲットとなる可能性も高い。すなわち、プロテオーム解析の成果は、特定遺伝子よりも診断マーカーや創薬ターゲットとなる可能性が高いため、ポストゲノム時代の診断と治療の切り札（エビデンス）技術となり、同定されたバイオマーカーは患者の薬剤応答性評価や副作用発現予測という直接的に患者が享受しえる利益につながることから、いわゆるテーラーメード医療（オーダーメード医療）の推進に大きな役割を果たすといえる。
【０００５】
臨床研究にプロテオーム解析（臨床プロテオミクス）を導入する場合には、大量の検体を迅速、確実に解析することが求められており、しかも臨床検体は微量で貴重なために高分解能・高感度・高機能測定を迅速に行う必要がある。この大きな推進力となったのは質量分析(mass spectrometry)であり、質量分析装置のもつ超高感度でハイスループットの特性の貢献するところが大きい。しかしながら、その手法や機器が急速に改良されてきてはいるものの、プロテオーム解析が臨床現場で簡便かつ迅速に実施できる状況にはまだない。
【０００６】
ヒト・タンパク質は10万種以上とも推定されているが、血清中に含まれるタンパク質だけでも約1万種類にものぼるといわれ、総量としての血清中濃度は約60〜80mg/mLである。血清中の高含量のタンパク質は、アルブミン(分子量66kDa)、免疫グロブリン(150〜1000kDa)、トランスフェリン(80kDa)、ハプトグロビン(>85kDa)、リポタンパク質(数100kDa)等であり、いずれも大量(>mg/mL)に存在する。一方、病態のバイオマーカーや病因関連因子と考えられているペプチドホルモン、インターロイキン、サイトカイン等の生理活性タンパク質の多くは、極微量(<ng/mL)にしか存在せず。その含有量比は高分子の高含量成分に比べて、実にnanoからpicoレベルである。タンパク質の大きさという点では、タンパク質全種類の70％以上は分子量60kDa以下であり、上記の極微量なバイオマーカータンパク質はいずれもこの領域に含まれる場合がほとんどである(例えば非特許文献１)。これらのタンパク質は腎臓を通過して尿中に一部排泄されるため、血液のみならず尿を検体として測定することも可能である。
【０００７】
一般的な血清学的検査でプロテオーム解析するには、病因関連の微量成分検出の妨害となる分子量6万以上の高分子成分を除外することがまず必須となる。また、分子量６万未満の成分についてはできるだけ多く回収することが必須となる。
【０００８】
この高分子量タンパク質の分離手段として、現状では高速液体クロマトグラフィー(liquid chromatography: LC) や二次元電気泳動 (2 dimensional-polyacrylamide gel electrophoresis: 2D-PAGE) が用いられているが、これらは、微量のサンプルしか処理できないために、目的とするサンプル量も少なく、ＭＳ分析、２次元電気泳動分析などのタンパク質分析を行っても検出されない場合がある。
【０００９】
この点が解決されると、臨床プロテオーム解析による臨床検査の診断の迅速性は飛躍的に向上すると期待できる。具体的には、効率的に目的タンパク質群を分画・分離できるデバイスがあればよい。
【００１０】
アルブミンを主な対象物質として、すでに実用化されている製品あるいは開示されている技術としては、ブルー色素などのアフィニティーリガンドを固定化した担体（たとえば、日本ミリポア社："Montage Albumin Deplete Kit（登録商標）"、日本バイオ・ラッド社：AffiGel Blueゲル（登録商標））、高分子量成分を遠心分離ろ過によって分画する遠心管形式の装置（たとえば、日本ミリポア社："アミコンウルトラ（登録商標）"）、特表２００２−５４２１６３号公報（特許文献１）に開示されている電気泳動原理によって分画する方法（たとえば、グラディポア社："Gradiflow（登録商標）"システム）、Cohnのエタノール沈澱などの伝統的な沈殿法やクロマトグラフィーによって分画する方法（例えば非特許文献２）などがある。
【００１１】
しかしこれらは、いずれも分離分画性能が十分ではなかったり、微量サンプルには不適当であったり、サンプルが希釈されてしまったり、あるいは質量分析等に障害となる薬剤が混入したりするなどの問題点がある。
【００１２】
また、人工腎臓、人工肺、血漿分離装置などに使用されている分離膜はその用途に応じて様々な大きさのものが開発され、生体成分との適合性を向上させるような改善もされているが（特許文献２）、臨床プロテオームが抱えている問題の解決を示唆するものはない。
【００１３】
これらを解決する溶液の開発により、医学研究ならびに臨床現場でプロテオーム解析が広く行われるようになり、より迅速で高精度な検査や診断が可能となって、有用な治療法がない難治性の疾患の原因究明や早期の診断法の開発には強力なツールとなると期待できる。
【特許文献１】特表２００２−５４２１６３号公報
【特許文献２】特許第３２９７７０７号明細書
【非特許文献１】アンダーソン・ＮＬ(Anderson NL),アンダーソン・ＮＧ( Anderson, NG)著，「ザ・ヒューマン・プラズマ・プロテオーム：ヒストリー・キャラクター・アンド・ダイアグノスティック・プロスペクツ(The human plasma proteome: history, character, and diagnostic prospects)」，モレキュラー・アンド・セルラー・プロテオミクス(Molecular & Cellular Proteomics)，（米国），ザ・アメリカン・ソサエティー・フォー・バイオケミストリー・アンド・モレキュラー・バイオロジー・インコーポレーテッド(The American Society for Biochemistry and Molecular Biology, Inc.),２００２年，第１巻，p845-867.
【非特許文献２】日本生化学会編，「新生化学実験講座（第１巻）タンパク質(1)分離・精製・性質」, 東京化学同人, 1990年
【非特許文献３】細胞工学別冊，「バイオ実験イラストレイテッド 5」, 秀潤社, 2001年
【発明の開示】
【発明が解決しようとする課題】
【００１４】
上述のとおり、臨床プロテオーム解析をする際に、妨害となる過剰な高分子量のタンパク質を除去することが必要である。
【００１５】
極最近でも、Affi-Gel Blueゲルを用いた方法（N. Ahmed et al., Proteomics, On-line版, 2003/06/23）や"Gradiflow"システムを用いた方法（D. L. Rothemund et al. (2003), Proteomics, vol. 3, pp279-287）などが有効な改良されたアルブミン除去法として発表されている程度であり、より多くの情報を得るための分析用溶液を得ることができる分離方法はない。これは、本発明が解決しようとする課題である。
【００１６】
したがって、本発明の目的は、余分な高分子量のタンパク質が除去された有利な分析用溶液を容易に得ることができる分離膜を提供することである。
【課題を解決するための手段】
【００１７】
本発明に係る分離膜は以下の（１）から（７）のような構成をとる。
（１）タンパク質および／もしくはペプチド分析前処理用の分離膜において、膜構造が非対称構造であることを特徴とする分離膜。
（２）分子量Ａ未満のタンパク質と分子量４Ａ以上のタンパク質との透過比率が２０以上であることを特徴とする上記（１）記載の分離膜。
（３）分子量１．５万未満のタンパク質と分子量６万以上のタンパク質との透過比率が２０以上であることを特徴とする上記（１）記載の分離膜。
（４）膜素材に親水性高分子が含まれることを特徴とする上記（１）〜（３）のいずれかに記載の分離膜。
（５）親水性高分子が、ポリアルキレンオキサイド、ポリビニルピロリドン、ポリビニルアルコール、ポリヒドロキシエチルメタクリレート、ポリアクリルアミド、ポリエチレンイミンであることを特徴とする上記（４）記載の分離膜。
（６）親水性高分子の含有量が、膜素材の１〜１０％であることを特徴とする上記（４）又は（５）に記載の分離膜。
（７）分析するタンパク質および／もしくはペプチドが血液、血漿、血清などの血液由来物、尿、腹水、唾液、涙液、脳脊髄液、胸水もしくは細胞から構成されることを特徴とする上記（１）〜（６）のいずれかに記載の分離膜。
【発明の効果】
【００１８】
本発明における分離膜を用いた分離システムにより得られる生体成分分離溶液（分析用溶液）によって、特に血液、血清、血漿をはじめとする生体成分含有原液から従来検出されなかった微量のタンパク質を数多く検出することが可能となる。本発明者らは、特定の膜分離ユニットを用いて、全タンパク質中の分子量６万以上のタンパク質の濃度が低い生体成分分離溶液（分析用溶液）を得ることを可能にし、優れた分析結果を得ることに成功した。
【発明を実施するための最良の形態】
【００１９】
本発明で言う生体成分分離溶液（分析用溶液）とは、血液などの生体成分含有原液を特定の処理を行い含まれるタンパク質の構成を変えた溶液のことである。ここで、「血液」とはヒトなどの動物血液のことであり、血清、血漿など血液中の一部の成分からなる溶液も含まれる。「生体由来の溶液」（生体成分含有原液）とは、血液の他、尿、唾液、涙液、脳脊髄液、腹水、胸水もしくは細胞からのタンパク質抽出液など生体関連の物質でタンパク質を含む溶液のことである。
【００２０】
「原液」とは、本発明の生体成分分離溶液（分析用溶液）を作製するための、原溶液である。この生体成分分離溶液（分析用溶液）は、分子量６万以上のタンパク質の濃度が低いためタンパク質分析に好ましく用いられる。分析法としては特に限定しないがLCや2D-PAGE、核磁気共鳴(NMR)、MALDI-TOF-MSやESI-MS等を例示することができる。これらは、アルブミン等の一部の溶液中に多量に存在するタンパク質が高い含有率で含まれていることによって、分析感度が低くなる分析方法であり、本溶液を用いることによって、高感度分析が可能となる。
【００２１】
分子量１．５万未満のタンパク質とは、タンパク質の中でも比較的分子量が小さいタンパク質であり、血液であれば総タンパク質に対して存在割合が低いが、種類は非常に多い。ここでは、分子量１．１６万であるβ２−ミクログロブリンを指標として用いる。分子量６万以上のタンパク質とは、血液であればアルブミンや免疫グロブリントランスフェリンなどが該当し、原液中に高含有率で存在する。ここでは分子量が６万に近いアルブミンを指標にした。
【００２２】
本発明でいう「分離」とは、回収目的のタンパク質と廃棄目的のタンパク質を弁別することをいう。主なタンパク質を分離・分画する手法は、濃度差による凝集沈殿法、分子篩い効果、イオン的相互作用、疎水的相互作用、水素結合、アフィニティーによる特異的結合などを利用したクロマトグラフィー、さらに電気泳動などが挙げられる。
「膜」とは多孔性の分離膜のことであり、平面フィルター、カートリッジ式フィルター等の平膜型分離膜（平膜）、中空糸等の中空状分離膜（中空糸膜）のいずれも用いることができるが、一般に、中空糸は処理液量あたりの膜表面積が大きく、圧損も少なくできるため、最も効率よく用いることができる。処理液量あたりの膜表面積を大きくするためには、中空糸内径は小さい方が好ましく、１０００μｍ以下が好ましく、５００μｍ以下がより好ましい。また、平面フィルターは製膜が容易で安価に作成することができると言う利点がある。膜素材としては、セルロース、セルローストリアセテート等のセルロースアセテート系ポリマー、ポリカーボネート、ポリスルホンやポリエーテルスルホンなどのポリスルホン系ポリマー、ポリメチルメタクリレート等のポリメタクリレート、ポリアクリレート、ポリアミド、ポリ弗化ビニリデン、ポリアクリロニトリル、ポリエステル、ポリウレタン、ポリスチレン、ポリエチレンおよびポリプロピレンおよびこれらの誘導体からなる群より１種類以上選択される素材を例示することができる。この中でも近年透析器などに良く用いられているポリスルホンは分画特性が良好であるために好ましい素材である。
【００２３】
「分離膜モジュール」とは、膜をハウジング内に収納してなるものである。このハウジングには、分離される溶液が流入する入口及び流出する出口と分離された溶液が流出する分離液流出口が備えられている。上記ハウジングの素材は特に限定しないが、ポリカーボネート、ポリプロピレン、ポリスチレン、ポリスルホン、ポリエーテルスルホン等のプラスチック製のものを挙げることができる。
【００２４】
「膜分離ユニット」とは、「分離膜モジュール」と「液を循環させるためのチューブ回路」からなるものである。ここで言う「循環」とは、分離膜モジュールから出た液をチューブ回路を介して分離膜モジュールに戻す送液方法である。
【００２５】
「分離システム」とは膜を用いて血液などの原液を分画する膜分離工程を含むシステムのことである。
【００２６】
本分離システムの膜分離ユニットの数は２以上であることが好ましい。膜分離ユニット数は、５以上であることが好ましく、更に１０以上であることが好ましい。上限値は特に設けないが、システムが複雑になるため１００以下である方が良い。
【００２７】
本分離システムでは、分子量１．５万未満のタンパク質と分子量６万以上のタンパク質との透過比率が２０以上である分離膜を用いることが好ましい。透過比率は５０以上であることが好ましく、更には１００以上であることが好ましい、上限値は特に設けないが、この値があまりにも高い分離膜では、分子量１．５万未満のタンパク質を回収する量が少なくなってしまうことが懸念されるため、好ましくは１００００以下である方が良い。
【００２８】
本分離システムに用いる分離膜は中空糸膜を用いることが好ましい。平膜を用いても同様の結果を得ることは可能であるが、特に中空糸膜は処理液量当たりの膜表面積が大きくする事が容易であり、効率よく本発明を実施することができる。中空糸膜の内径は、１ｍｍ以下であることが好ましく、更に０．５ｍｍ以下であることが好ましい。特に下限は設けないが、中空糸膜の圧力損出が大きくなり過ぎないように５０μｍ以上であることが好ましい。
【００２９】
膜分離ユニットには、少なくとも生体成分原液流入後に希釈液を膜分離ユニットに流入させることが好ましい。希釈液を送液しない場合、膜分離ユニット内で濃縮が進み過ぎ、分離膜による透過比率が悪化する。また、希釈液には、生体成分原液と等張の溶液を使用することが好ましい。生体成分が血液成分から構成される場合、生理食塩水または「緩衝溶液」を用いることが好ましい。上記「緩衝溶液」としては、ＭＥＳ、ＢＩＳ−ＴＲＩＳ、ＡＤＡ、ＡＣＥＳ、ＰＩＰＥＳ、ＭＯＰＳＯ、ＢＩＳ−ＴＲＩＳ  ＰＲＯＰＡＮＥ、ＢＥＳ、ＭＯＰＳ、ＴＥＳ、ＨＥＰＥＳ、ＤＩＰＳＯ、ＭＯＢＳ、ＴＡＰＳＯ、ＴＲＩＺＭＡ、ＨＥＰＰＳＯ、ＰＯＰＳＯ、ＴＥＡ、ＥＰＰＳ、ＴＲＩＣＩＮＥ、ＧＬＹ−ＧＬＹ、ＢＩＣＩＮＥ、ＰＢＳ、ＴＡＰＳ、ＡＭＰＤ、ＴＡＢＳ、ＡＭＰＳＯ、ＣＨＥＳ、ＣＡＰＳＯ、ＡＭＰ、ＣＡＰＳ、ＣＡＢＳ等を挙げることができる。
【００３０】
分離膜モジュールに流入する液の流量Ｑ１は、分離された液が送液される液の流量Ｑ２よりも大きいことが望ましい。分離膜モジュールに流入する液の流量Ｑ１と分離された液が送液される液の流量Ｑ２が等しい場合、分離膜モジュール内で濃縮が進みすぎ、膜表面に堆積物が積層し、膜孔が目詰まりを起こすために分離膜での比率が悪化する。この膜表面への生体成分の堆積を抑制するためには、分離膜モジュールに流入する液の流量Ｑ１、分離された液が送液される流量Ｑ２の比率Ｑ２／Ｑ１は、０．５以下であることが望ましい。また、分離膜モジュールに流入する液の流量Ｑ１、分離された液が送液される流量Ｑ２の比率Ｑ２／Ｑ１が０の場合は、濾過が行われず、拡散のみでの物質移動になり、分離の速度が遅くなるため、０．０１以上であることが望ましい。
【００３１】
分離膜モジュールにて分離された液が送液される流量Ｑ２と希釈液を膜分離ユニットに流入させる流量Ｑ３は等しいことが望ましい。Ｑ２≦０．５Ｑ３では、経時的に膜分離ユニットの体積が大きくなり生体成分が薄まりすぎ分離効率が悪化する。Ｑ２≧１．５Ｑ３では、経時的に膜分離ユニットの体積が小さくなり、生体成分の分離膜モジュール内での濃縮が進み過ぎ、膜表面に堆積物が積層し、膜孔が目詰まりを起こすために分離膜での比率が悪化する。
【００３２】
本発明のデバイスの概念図は後記の図１のとおりであり、実際の構成は以下のとおりである。
（１）分画工程
「分画工程」とは水溶液（生体成分含有原液）中のアルブミン以上の分子量であるタンパク質を分画する工程を意味する。ここでいう「分画」とは分子量によりタンパク質を弁別することをいう。本工程では、平面フィルターあるいは中空糸モジュールの膜に分子篩い効果を有する多孔性膜を用い、分離ふるいによる分子分画を行う。特に中空糸を用いることは分画膜表面積が極めて大きくなるため、有効である。
【００３３】
本発明で用いる膜の素材は特に限定しないが、セルロース、セルローストリアセテート等のセルロースアセテート系ポリマー、ポリカーボネート、ポリスルホンやポリエーテルスルホンなどのポリスルホン系ポリマー、ポリメチルメタクリレート等のポリメタクリレート、ポリアクリレート、ポリアミド、ポリ弗化ビニリデン、ポリアクリロニトリル、ポリエステル、ポリウレタン、ポリスチレン、ポリエチレンおよびポリプロピレンからなる群より１種類以上選択される高分子を含む素材が使用される。膜構造に関しては、緻密層と空隙率が高く膜強度を維持する支持層の二層構造からなる非対称構造を有する膜を用いることが好ましい。電子顕微鏡を用いて膜の断面構造を１０００倍の観察条件にて観察した場合に膜厚み方向に対して空孔が確認できない層と空孔が確認できる層の両者が存在するものを非対称構造とする。また、この非対称構造は被処理液を接触する面近傍が最も緻密であることが好ましい。これは濾過をかけたときの目詰まりを低減できるからである。
【００３４】
膜にはできるだけタンパク質が吸着しないことが好ましく、親水性の膜が好ましい。これらの親水性膜は必要とするタンパク質の吸着を抑え、無駄なく回収する効果がある。親水性膜では、親水性の単量体と疎水性の単量体を共重合させたものや、親水性の高分子と疎水性の高分子をブレンド製膜したもの、あるいは疎水性の高分子からなる膜の表面に親水性ポリマーを結合、付着させたもの、疎水性の高分子からなる膜の表面を化学処理、プラズマ処理、放射線処理したものなどがあげられるが、親水化されていればその方法は特に限定されない。親水性成分は特に限定しないが、ポリエチレングリコールなどのポリアルキレンオキサイド、ポリビニルピロリドン、ポリビニルアルコール、ポリヒドロキシエチルメタクリレート、ポリアクリルアミド、ポリエチレンイミンなどの親水性高分子が好ましい。
（２）全体の構成ならびに運転条件
各膜分離ユニットは溶液流路で直結され、連続して稼動できることによって、簡便かつ自動的に連続運転できるという効果が得られるが、必要により、各ユニットを独立して稼動させてもよい。チューブ回路にはポンプが装着され、ポンプにより送液されるが、小規模の場合にはシリンジによる送液、遠心チューブ型装置による遠心操作で行っても構わない。
【００３５】
本発明は生体成分含有原液、特にヒトの血漿、尿、唾液、涙液、脳脊髄液、腹水、胸水等のからの生体成分の分離に適する。上記の各分離ユニットの循環液の流速は、原料とする血漿や尿等の生体材料の質と量に依存して適宜決められるが、いわゆる卓上サイズで実施する場合、血漿では1〜400mL好ましくは5〜100mLで実施され、流速は1〜100mL/minが好ましくは2〜50mL/minで行われる。
【００３６】
また、膜分離システムは高速処理が可能であり、所要時間としては、1回の処理時間が6時間以内で、検体のコンタミネーションおよびバイオハザードの防止の点から、一連のデバイスは一回使用とする装置を作製する事が可能である。電気泳動システムや液体クロマトグラフィーを用いる分析では、機器を再使用して用いるため、検体による汚染の危険性や再生した分析カラムによる再現性への影響などが問題となることがあり、操作の煩雑さも含めて必ずしも多数の検体の頻回処理には向いていない。本発明になるタンパク質分画デバイスはディスポーザブル仕様が可能であり、検体からの汚染の回避や分析の再現性の確保の点からも大きな利点である。
【００３７】
このようにして総タンパク質中の分子量６万以上のタンパク質の組成比率が低い液を得ることができるが、高感度の分析を行うためにはその組成比が０．５未満である必要があり、好ましくは０．１未満、さらに好ましくは０．０１未満であることがよく、できるだけ小さい方がよい。
【００３８】
このようにして得られた分析検体（分析用溶液）は、液体クロマトグラフ、電気泳動、MS等の各種のタンパク質分析に有用であるが、特に好ましくはMS、電気泳動を用いたプロテオーム解析に有用である。  本装置が直接あるいは間接的に連結できるMSは特に限定されないが、好ましくは、電子スプレーイオン化型、大気圧イオン化型、四重極(QQQ)型、磁気セクター型、飛行時間型、MS／MS、MSｎ、FT-MS型、イオン捕捉型およびこれらの組合せ型のものである。また、MS／MSまたはMSｎ（例えばMS３）のようなタンデムMSを含む。タンデムMSの場合は、全てのタイプのMSが適用可能であるが、特にイオン捕捉、四重極−飛行時間（Q-TOF）、FT-MS、および四重極およびイオン捕捉とのセクター機器の組合せを使用することが効率がよい。これにより、MS／MSおよび／またはMSｎ測定において生じるピークの選択的な検出が可能となる。
【００３９】
本装置との組み合わせによる分析により、各種微量タンパク質成分の構造情報を集めることができるが、それらはペプチド・マスフィンガープリント(peptide-mass fingerprint: PMF)のみならず、各ペプチドの一次構造情報（アミノ酸配列）も含まれる。
【００４０】
以下、本発明の分析用溶液を得るための一態様例につき、図を用いながら説明する。
【００４１】
図１は、本発明の膜を用いた分離システムの概念図（膜分離ユニットの２ユニットの例）である。液の流れを矢印で示してある。血清などの材料の検体（原液）はバルブ１から溶液循環回路（チューブ回路）２の中をポンプ３によって送液せられ、第１の分離膜モジュール５に注入され、循環する。第１の膜分離ユニットで処理された液は、処理液回収口４から得られる。この態様が１ユニットの単位であり、２個の膜分離ユニットでは２段の繰り返しが、３個の膜分離ユニットでは３段繰り返えすことになる。処理液は最終の膜分離ユニットから回収される。６は２段目の膜分離ユニットの処理液回収口を、７は第２分離膜モジュールを示す。
【実施例】
【００４２】
以下、実施例にて本発明を詳細に説明するが、本発明の範囲がこれらの実施例にのみ限定されるものではない。
（透過比率の測定方法）
ヒト血清（SIGMA社  H1388もしくは同等品）を3000rpm15分の条件にて遠心処理を行い沈殿物を取り除いた後0.45μｍのフィルター処理を行う。分離膜モジュールに対して原液（人血清）側の液を循環するポンプと濾過をかけるポンプを接続し、PBS（日本製薬社製ダルベッコＰＢＳ（−））水溶液を充填しておく。原液を循環流量1ml/min、濾過流量0.2mL/minの流速で20℃にて濾過を開始する。この時モジュール出口の原液は戻さずに廃棄する。３０分から６０分後の液を採取し、モジュール原液入口、出口および濾液中のアルブミンおよびβ２ミクログロブリンの濃度を測定し、これらの測定値からアルブミンおよびβ２ミクログロブリンのふるい係数を算出する。アルブミン濃度の測定は、エスアールエル（株）に外注し、項目コード0721 4（ラテックス凝集免疫法）にて測定する。
【００４３】
この測定にて、アルブミン濃度0.4mg/L以下の測定限界以下になったものについては、ＢＥＴＨＹＬ社製Ｈｕｍａｎ  Ａｌｂｕｍｉｎ  ＥＬＩＳＡ  ＱｕａｎｔｉｔａｔｉｏｎＫｉｔ(Cat No. E80-129)にて測定する。β２ミクログロブリン濃度の測定は、エスアールエル（株）に外注し、項目コード0210 3（ラテックス凝集免疫法）にて測定する。この時原液側濃度はモジュール入口、出口の濃度の平均値を用いる。得られたβ２ミクログロブリンのふるい係数をアルブミンのふるい係数で除した値を透過比率とする。
【００４４】
（電気泳動によるタンパク質分析）
得られた生体成分分離溶液（分析用溶液）を電気泳動法によって分析した。方法は次の通りである。
１．生体成分分離溶液にサンプルバッファーを等量加え、100℃3分加温し、泳動用サンプルとする。サンプルバッファーとして、グリセリン10ml、SDS 1g、BPB 0.05g、0.2M Tris-HCl pH6.8(TrisにHClを加え、pH6.8にしたもの) 25ml、蒸留水 14mlを混合したものを用いる。
２．市販のSDS-PAGE用ゲルであるSDS-PAGEmini  4-20% 1.0mm厚 10well(TEFCO製)を用いて、非特許文献３に記載の方法にて泳動する。
３．ゲルカセットからゲルを取り出し、CBB染色、銀染色を行う。銀染色は、市販のキットである銀染色IIキットワコー（和光純薬社製）を使用する。
【００４５】
（実施例１）
ポリスルホン（ソルベー社製ユーデル（登録商標）P-3500）18重量部およびポリビニルピロリドン（ISP社製K30）9重量部をＮ，Ｎ'−ジメチルアセトアミド72重量部および水1重量部の混合溶媒に加え、90℃で10時間加熱して溶解し、製膜原液を得た。この製膜原液を温度30℃の紡糸吐出部へ送り、外径0.35mm、内径0.25mmのオリフィス型二重円筒型口金の外側の管より吐出した。芯液としてＮ，Ｎ'−ジメチルアセトアミド60重量部および水40重量部からなる溶液を内側の管より吐出した。吐出された製膜原液は、温度30℃の雰囲気のドライゾーン350mmを通過した後、40℃の凝固浴（水浴）を通過させ、80℃30秒の水洗工程を通過させ、紡速40m/minで巻き取り、束とした。得られた中空糸膜の寸法は、内直径200μm膜厚40μmであり、中空糸の構造を電子顕微鏡（日立社製Ｓ８００）にて確認したところ非対称構造を有していた。
【００４６】
該中空糸を100本束ね、中空糸中空部を閉塞しないようにエポキシ系ポッティング剤で両末端をガラス管モジュールケースに固定し、ミニモジュールを作成した。該ミニモジュールの内直径は約5mm、長さは約17cmであり、一般的な中空糸膜型透析器同様に中空糸の内側のポート（血液ポート）を２個と外側のポート（透析液ポート）を２個有している。該ミニモジュールの中空糸およびモジュール内部を蒸留水にて洗浄した。その後、PBS（日水製薬社製ダルベッコPBS（−））水溶液を充填し、中空糸膜ミニモジュール（以降、ミニモジュール１と略す）を得た。本ミニモジュールを２本作成し、うち１本の透過比率を測定したところ１４９であった。残りの１本は以下の実験に用いた。ヒト血清（SIGMA社  H1388、  Lot 122K0424）を3000rpm15分の条件にて遠心処理を行い沈殿物を取り除いた後0.45μｍのフィルター処理を行った。ミニモジュール１の透析液側ポートの一方をキャップし、一方はシリコーンチューブをつなぎ、ペリスターポンプに接続した。中空糸膜内側の液は入口と出口をシリコーンチューブでつなぎ、ペリスターポンプを用いて血清を循環できるようにした（図２）。
【００４７】
図２は、この実施例１で用いた分離システムの概略図（膜分離ユニットの１ユニット）である。液の流れを矢印で示してある。血清及び希釈液（ＰＢＳ）がバルブ１から溶液循環回路（チューブ回路）２の中をポンプ３によって送液せられ、第１の分離膜モジュール５に注入され、循環する。第１の膜分離ユニットで処理された液は、処理液回収口４から得られる。この処理液が、分離システムから回収される。
【００４８】
4mlの血清を10ml/minで加えた後、循環流量10ml/min、濾過流量1.0mL/minの流速で20℃、50分間濾過を実施した。この時、濾過された容量分のPBSを1.0ml/minで分画システムに加えて、循環する液量を一定に保った。50分間で得られた濾液は、約50mlでアルブミン濃度は32.8mg/l、α１−ミクログロブリン濃度は0.06mg/l、β２ミクログロブリン濃度は0.068mg/Lであり、原液として用いたヒト血清中のアルブミン濃度は29800mg/L、α１−ミクログロブリン濃度は13.2mg/L、β２−ミクログロブリン濃度は1.27mg/Lであった。原液として用いたヒト血清は、アルブミン量119000μg、α１−ミクログロブリン52.8μg、β２−ミクログロブリン量は5.08μgであったのに対して、濾液はアルブミン量1640μg、α１−ミクログロブリン3.00μg、β２−ミクログロブリン量は3.40μgであり、β２−ミクログロブリン量を維持しながら、アルブミンを大幅に除去することができた。
【００４９】
（実施例２）
実施例１と同様の中空糸（透過比率１４９）を用いて、ミニモジュール１を１個作成した。ミニモジュール１の形状、中空糸本数は実施例１と同様である。また、実施例１と同様の中空糸（透過比率１４９）40本を内直径は約5mm、長さは約12cmのガラス管モジュールケースに固定し、ミニモジュール（以降、ミニモジュール２と略す）を実施例１と同様に２個作成した。該ミニモジュールを以下の実験に用いた。
【００５０】
ヒト血清（SIGMA社、H1388、  Lot 122K0424）を3000rpm、15分の条件にて遠心処理を行い濾液および沈殿物を取り除いた後0.45μｍのフィルター処理を行った。まず、１個のミニモジュール１を準備し、透析液側の一方をキャップし、一方はシリコーンチューブをつないだ。中空糸膜内側の液は入口と出口をシリコーンチューブでつなぎ、ペリスターポンプを用いて血清を循環できるようにした。これを１段目の膜分離ユニットとした。さらに、１個のミニモジュール２を透析液側の一方をキャップし、一方はシリコーンチューブをつなぎ、ペリスターポンプに接続した。このミニモジュール２の中空糸膜内側の液も入口と出口をシリコーンチューブでつなぎ、ペリスターポンプを用いて血清を循環できるようにした。これを２段目の膜分離ユニットとした。さらに、もう１個のミニモジュール２を透析液側の一方をキャップし、一方はシリコーンチューブをつなぎ、ペリスターポンプに接続した。このミニモジュール２の中空糸膜内側の液も入口と出口をシリコーンチューブでつなぎ、ペリスターポンプを用いて血清を循環できるようにした。これを３段目の膜分離ユニットとした。次にミニモジュールの透析液側のシリコーンチューブを次の段の膜分離ユニットのシリコーンチューブにバルブを介してつなぎ、分離システム全体にPBSを充填し、３段の膜分離ユニットを有する分離システムを作成した（図３）。
【００５１】
図３は、実施例２で用いたの分離システムの概略図（膜分離ユニットの３ユニットの例）である。液の流れを矢印で示してある。血清及び希釈液（ＰＢＳ）がバルブ１から溶液循環回路（チューブ回路）２の中をポンプ３によって送液せられ、第１の分離膜モジュール５に注入され、循環する。第１の膜分離ユニットで処理された液は、処理液回収口４から得られる。次に、この処理液は、第２の分離膜モジュール７に注入され、循環する。第２の膜分離ユニットで処理された液は、処理液回収口６から得られる。さらに、この処理液は、第３の分離膜モジュール９に注入され、循環する。第３の膜分離ユニットで処理された液は、処理液回収口８から得られる。この処理液が分離システムから回収される。
【００５２】
4mlの血清を0.2ml/minで１段目の膜分離ユニットに加えた後、１段目の膜分離ユニット、２段目の膜分離ユニット、３段目の膜分離ユニット共に流量5.0mL/minで中空糸内側液を循環し、濾過流量0.2mL/minの流速で20℃、4時間濾過を実施した。この時、濾過された容量分のPBSを0.2ml/minで分画システムに加えて、循環する液量を一定に保った。4時間で得られた濾液は、約47mlであった。この濾液をザルトリウス社製vivaspin20（3000MWCOタイプ）を用いて4mlに濃縮したところ、アルブミン濃度は0.38mg/l、β２ミクログロブリン濃度は0.583mg/Lであり、原液として用いたヒト血清中のアルブミン濃度は31200mg/L、β２−ミクログロブリン濃度は1.19mg/Lであった。原液として用いたヒト血清は、アルブミン量124800μg、β２−ミクログロブリン量は4.76μgであったのに対して、濾液はアルブミン量19μg、β２−ミクログロブリン量は2.92μgであり、β２−ミクログロブリン量を維持しながら、アルブミンを大幅に除去することができた。
【００５３】
該サンプルをザルトリウス社製vivaspin500（3000MWCOタイプ）を用いて10倍濃縮し、サンプルバッファーを等量加え、100℃3分加温した泳動用サンプル25μlを電気泳動にて分析した。結果を図４の３レーンに示す。図４の２レーンは比較例１の分離システム処理前のヒト血清の希釈液の電気泳動写真である。図４の３レーンから判るように、分子量６万以上の場所にタンパク質は少なく、分子量１．５万以下の場所に多くのタンパク質があることが確認できた。
【００５４】
（比較例１）
サンプルバッファーで100倍に希釈したヒト血清（SIGMA社、H1388、  Lot 122K0424）をサンプル2μlを電気泳動にて分析した。結果を図４の２レーンに示す。
【００５５】
図４において、１レーンは、Rainbow coloured protein molecular weight markers(Amersham LIFE SCIENCE 、RPN756 Batch58)、２レーンは比較例１のヒト血清、３レーンは実施例２で得られた生体成分分離溶液の電気泳動写真である。２レーンから判るように、ヒト血清は、分子量６万以上の場所にタンパク質が多く存在し、分子量１．５万以下の場所にタンパク質は少量しか観察されなかった。それに対し、３レーンから判るように、分離システムで処理した実施例２の濾液の濃縮液は、分子量６万以上の場所にタンパク質は少なく、分子量１．５万以下の場所に多くのタンパク質があることが確認できた。
【００５６】
図４から判るように、分子量６万以上の場所にタンパク質が多く存在し、分子量１．５万以下の場所にタンパク質は少量しか観察されなかった。
【図面の簡単な説明】
【００５７】
【図１】本発明の膜を用いた分離システムの概念図である（膜分離ユニットの２ユニットの例）。
【図２】本発明の実施例１で用いた分離システムの概略図である（膜分離ユニットの１ユニット）。
【図３】本発明の実施例２で用いた分離システムの概略図である（膜分離ユニットの３ユニットの例）。
【図４】溶液の電気泳動写真を示す図である。
【符号の説明】
【００５８】
図１の１  バルブ
図１の２  溶液循環回路（チューブ回路）
図１の３   ポンプ
図１の４  １段目の膜分離ユニットの処理液回収口
図１の５  第１分離膜モジュール
図１の６  ２段目の膜分離ユニットの処理液回収口
図１の７  第２分離膜モジュール
図２の１  バルブ
図２の２  溶液循環回路（チューブ回路）
図２の３  ポンプ
図２の４  １段目の膜分離ユニットの処理液回収口
図２の５  第１分離膜モジュール
図３の１  バルブ
図３の２  溶液循環回路（チューブ回路）
図３の３  ポンプ
図３の４  １段目の膜分離ユニットの処理液回収口
図３の５  第１分離膜モジュール
図３の６  ２段目の膜分離ユニットの処理液回収口
図３の７  第２分離膜モジュール
図３の８  ３段目の膜分離ユニットの処理液回収口
図３の９  第３分離膜モジュール
図４の１  １レーン（ Rainbow coloured protein molecular weight markers ）
図４の２  ２レーン（比較例１のヒト血清）
図４の３  ３レーン（実施例２で得られた生体成分分離溶液）
【図１】
2005214919.tif 000003
【図２】
2005214919.tif 000004
【図３】
2005214919.tif 000005
【図４】
2005214919.tif 000006